(57)【特許請求の範囲】
【請求項１】
ガス導管などの管路内に侵入した水や土砂などの異物を吸引排除する異物吸引作業車であって、
管路内から異物を吸引して移送する吸引ホースと、この吸引ホースが上部に接続され、内蔵する邪魔板により異物中の水分を分離して回収する水分離タンクと、この水分離タンクの上部に連通し、内蔵する邪魔板により異物中の土砂を分離して回収する土砂回収室と、この土砂回収室の上部に連通し、内蔵するフィルタ装置の下流側が真空ブロア装置に連通するフィルタ室と、上記真空ブロア装置を駆動するエンジンとを搭載したことを特徴とする異物吸引作業車。
【発明の詳細な説明】
【０００１】
【発明の属する技術分野】
本発明は、ガス導管の震災復旧対策に関し、詳しくは、ガス導管などの管路内に侵入した水や土砂などの異物を効率よく迅速に吸引排除できる異物吸引作業車に関する。
【０００２】
【発明の背景】
都市ガスを供給するガス導管として、例えば口径３００ｍｍ〜５０ｍｍ程度の本管または支管（以下、本支管という）は、一般に公道の地中１．２ｍ位の深さに埋設されているが、多くの場合、この本支管には水道管が並んで埋設されている。このため、地震発生により本支管の継手部などが破損するような状況では、これに並走する水道管も破裂して付近が浸水することがあり、こうした場合には、破損した継手部などから本支管内に水や土砂などの異物が侵入して管路の導通不良を起こす事態が多数報告されている。なお、水道管が破裂しない場合でも、下水や雨水が土砂と共に破損した継手部などから本支管内に侵入することが多々ある。
【０００３】
【発明が解決しようとする課題】
このようにガス導管内に水や土砂などの異物が侵入した場合、異物を効率よく迅速に排除することがガス導管の震災復旧対策として強く要望されている。
【０００４】
そこで本発明は、ガス導管などの管路内に侵入した水や土砂などの異物を効率よく迅速に吸引排除できる異物吸引作業車を提供することを目的とする。
【０００５】
【課題を解決するための手段】
この目的を達成する手段として本発明は、ガス導管などの管路内に侵入した水や土砂などの異物を吸引排除する異物吸引作業車であって、管路内から異物を吸引して移送する吸引ホースと、この吸引ホースが上部に接続され、内蔵する邪魔板により異物中の水分を分離して回収する水分離タンクと、この水分離タンクの上部に連通し、内蔵する邪魔板により異物中の土砂を分離して回収する土砂回収室と、この土砂回収室の上部に連通し、内蔵するフィルタ装置の下流側が真空ブロア装置に連通するフィルタ室と、上記真空ブロア装置を駆動するエンジンとを搭載したことを特徴とする。
【０００６】
【作用】
このような手段を採用した本発明では、例えば吸気口が開けられたガス導管などの管路に吸引ホースを接続し、真空ブロア装置をエンジン駆動することで、管路内の水や土砂などの異物が空気流に乗って吸引ホース内から水分離タンク内を経て土砂回収室内に吸引移送される。その際、水分離タンク内の邪魔板に異物が衝突することで異物に含まれる水分が分離して水分離タンク内に回収され、土砂回収室内の邪魔板に異物が衝突することで異物としての土砂が土砂回収室内に回収される。
【０００７】
【発明の実施の形態】
以下、本発明の一実施形態を添付の図面を参照して具体的に説明する。
図１は、一実施形態による異物吸引作業車１の全体構成を示し、この異物吸引作業車１は、トラック２の後部に台車３を連結した構造となっている。
【０００８】
前記トラック２の荷台２ａ前部には、作業の動力源であるエンジン（ディーゼルエンジンでもガソリンエンジンでも構わない）４およびこのエンジン４に駆動される真空ブロア装置５がケーシング６に覆われて搭載され、また荷台２ａ後部には、上記真空ブロア装置５に連通するフィルタ室７およびこのフィルタ室７に連通する土砂回収室８を内部に区画形成したチャンバ９が搭載されている。
【０００９】
一方、台車３上には、前記チャンバ９内の土砂回収室８に連結ホース１０を介して連通する水分離タンク１１およびこの水分離タンク１１に連通接続する吸引ホース１２が搭載されている。
【００１０】
前記真空ブロア装置５は、最大吸引圧力−３０ｃｍＨｇ（−０．４ｋｇｆ／ｃｍ2 ）の能力を有し、これに対応して前記エンジン４は、真空ブロア装置５を最大吸引圧力で運転できる出力を有している。
【００１１】
ここで、前記フィルタ室７は、チャンバ９内の前部に区画形成されてその中央部に縦型３段のフィルタ装置７ａを収容したもので、フィルタ装置７ａの下流側が前記真空ブロア装置５にダクト５ａを介して連通している。また、前記土砂回収室８は、チャンバ９内の後部に区画形成されてその前側上部が上下方向に通る連通路９ａを介してフィルタ室７の下部に連通しており、後側上部に口径１５０ｍｍの前記連結ホース１０の一端部が連通接続されている。
【００１２】
前記水分離タンク１１は、上面に圧力計１１ａが突設され、後面にドレンコック１１ｂが突設された容量１６０リッター程度の密閉容器からなるもので、その前面上部には連結ホース１０の他端部が連通接続され、その後面上部には吸引ホース１２の基端部が着脱自在に連通接続されるようになっている。
【００１３】
なお、前記吸引ホース１２は、作業対象管の口径に応じた例えば５０ｍｍ，８０ｍｍ，１５０ｍｍの口径のものが用意され、各吸引ホース１２の先端部にはそれぞれ作業対象管の口径に応じた管端接続治具が付設されている。
【００１４】
ここで、前記水分離タンク１１内には、吸引ホース１２の基端部との連通接続口に対向する邪魔板１３が上端を水分離タンク１１の内壁面に固定して側面視斜めの傾斜姿勢で設置されている。同様に、前記土砂回収室８内には、連結ホース１０の一端部との連通接続口に対向する邪魔板１４が上端をチャンバ９の内壁面に固定して側面視斜めの傾斜姿勢で設置されている。なお、これらの邪魔板１３，１４は、上端を枢着して吊持されるフラップ状のものとしてもよい。
【００１５】
前記邪魔板１３，１４は、ゴム，軟質樹脂，木材などの非発火性部材で構成するのが好ましく、一実施形態としては、全体を軟質のウレタン樹脂で構成している。
【００１６】
次に、以上のように構成された一実施形態の異物吸引作業車１につき、図２に示す使用例に即して作用を説明する。
図２は、震災により継手部などが破損して水や土砂などの異物が内部に侵入しているガス導管としての例えば口径１５０ｍｍの本管１５を作業対象管とした使用例を示すもので、本管１５は作業対象区間の両端部が土壌を開削して切断処理され、作業対象区間外の本管１５の切断箇所はカップ止め処理により閉塞されている。
【００１７】
そこで、異物吸引作業車１は、吸引ホース１２として１５０ｍｍの口径のものを使用してその先端部に付設された管端接続治具１６を本管１５の作業対象区間の一端部に接続し、エンジン４により真空ブロア装置５を駆動する。すると、真空ブロア装置５による最大吸引力−３０ｃｍＨｇ（−０．４ｋｇｆ／ｃｍ2 ）の吸引力がフィルタ室７，土砂回収室８，連結ホース１０，水分離タンク１１，吸引ホース１２を介して本管１５内に作用するのであり、本管１５内の水や土砂などの異物は本管１５の他端から流入する空気流に乗って吸引ホース１２内に吸引される。
【００１８】
なお、前記真空ブロア装置５の吸引量は、水分離タンク１１に付設された圧力計１１ａを監視しながらエンジン４を制御することで調整する。
【００１９】
吸引ホース１２内に吸引された水や土砂などの異物は、秒速４０ｍ程度の空気流に乗って移送され、邪魔板１３に衝突しつつ水分離タンク１１内に流入して流速を低下する。その際、異物が邪魔板１３に衝突することで、異物に含まれる水分が分離され、水分離タンク１１内に滴下して回収される。
【００２０】
水分離タンク１１内に異物と共に流入して水分が分離された空気流は、水分離タンク１１の上部から連結ホース１０を介して土砂回収室８内に流入して更に流速を低下する。その際、異物が邪魔板１４に衝突することで、異物としての土砂などは土砂回収室８内に落下して回収される。
【００２１】
こうして水分および土砂などが分離回収された空気流は、土砂回収室８の上部から連通路９ａを通過してフィルタ室７の下部に流入し、縦型３段のフィルタ装置７ａを通過する過程で微細な塵埃が回収されるのであり、真空ブロア装置５が塵埃によって摩耗損傷することが予防される。
【００２２】
ここで、異物が衝突する前記邪魔板１３，１４は、いずれも軟質のウレタン樹脂で構成されているため、土砂などの異物との衝突で発火することがなく、作業対象区間の本管１５内に残留していた都市ガスを土砂と共に吸引した場合であっても、都市ガスに着火して爆発を誘発する虞が無く、安全である。
【００２３】
こうして作業対象区間外の本管１５内から水や土砂などの異物が吸引排除されると、吸引負荷が低下して水分離タンク１１に付設された圧力計１１ａの指針が大きく変化することから、圧力計１１ａを監視して作業の終了を確認する。
【００２４】
なお、水や土砂等の異物が吸引排除された作業対象区間の本管１５は、両端の切断箇所をカップ止め処理された本管１５の切断端部に適宜の継手構造によって接続処理されるのであり、その後、修復された本管１５には都市ガスが供給されて漏洩検査が繰り返される。この漏洩検査に際して漏洩が認められた場合には、本管１５内の都市ガスを抜いて漏洩修理を行うこととなるが、一実施形態の異物吸引作業車１は、この漏洩修理に先だって本管１５内から都市ガスを吸引排除する作業にも使用される。
【００２５】
【発明の効果】
以上説明したとおり本発明によれば、吸気口が開けられたガス導管などの管路に吸引ホースを接続し、真空ブロア装置をエンジン駆動することで、管路内の水や土砂などの異物が空気流に乗って吸引ホース内から水分離タンク内を経て土砂回収室内に吸引移送され、その際、水分離タンク内の邪魔板に異物が衝突することで異物に含まれる水分が分離して水分離タンク内に回収され、土砂回収室内の邪魔板に異物が衝突することで異物としての土砂が土砂回収室内に回収されるのであり、ガス導管などの管路内に侵入した水や土砂などの異物を効率よく迅速に吸引排除することができる。
【図面の簡単な説明】
【図１】本発明の一実施形態による異物吸引作業車の全体構成を一部断面として示す側面図である。
【図２】一実施形態による異物吸引作業車の使用状況を一部断面として示す側面図である。
【符号の説明】
１  異物吸引作業車
２  トラック
３  台車
４  エンジン
５  真空ブロア装置
６  ケーシング
７  フィルタ室
７ａ  フィルタ装置
８  土砂回収室
９  チャンバ
９ａ  連通路
１０  連結ホース
１１  水分離タンク
１１ａ  圧力計
１１ｂ  ドレンコック
１２  吸引ホース
１３，１４  邪魔板
１５  本管
１６  管端接続治具
【図１】
0003657666.tif 000002
【図２】
0003657666.tif 000003